(57)【特許請求の範囲】
【請求項１】
キャビネットの一端部に、金属製の接続用部材を設けるとともに、キャビネット内に発熱体を収納し、発熱体は接続用部材と熱伝導可能に繋がり、
キャビネットの外面は、発熱体と対向する箇所にて、突面を形成して、発熱体との間にキャビネットの他端部への熱の移動を許す隙間を形成したことを特徴とする、携帯機器。
【請求項２】
接続用部材にネジ孔が開設され、該接続用部材にキャビネットから延出した樹脂製のカバー体がネジ孔を避けて被さることを特徴とする、請求項１に記載の携帯機器。
【請求項３】
接続用部材は、止めネジによってキャビネットに取り付けられ、該止めネジの頭部は、キャビネットに開設された孔に嵌まって、キャビネット上面の内側に位置する、請求項１に記載の携帯機器。
【請求項４】
キャビネットはカメラ機器の筐体であり、接続用部材は三脚に取り付ける為の三脚座であり、発熱体は回路部品である、請求項１乃至３の何れかに記載の携帯機器。
【発明の詳細な説明】
【技術分野】
【０００１】
本発明は、放熱構造を有する携帯機器、具体的には内部の熱を外に逃がす構造を有するデジタルカメラ等の携帯機器に関する。
【背景技術】
【０００２】
図７は、従来の放熱構造を有するデジタルカメラの斜視図である(特許文献１参照)。鏡筒(11)を設けた筐体であるキャビネット(１)内には、周知の如く、ＣＣＤ、ＬＳＩ等の回路部品(６)が配備される。該回路部品(６)は、配線基板(65)を介して金属製の回路保持板(66)に取り付けられる。キャビネット(１)の下面には、三脚(図示せず)用のネジ孔(32)を設けた金属製の三脚座(３)が設けられ、回路保持板(66)は三脚座(３)に繋がる。回路部品(６)からの熱は、回路保持板(66)を介して三脚座(３)に伝わり、三脚座(３)の下面からキャビネット(１)の外側に放出される。これにより、回路部品(６)が熱くなり過ぎることを防いでいる。
【０００３】
【特許文献１】特開２００１−１２５１９１号公報
【発明の開示】
【発明が解決しようとする課題】
【０００４】
斯種キャビネット(１)を片手で把持した場合に、使用者の指がキャビネット(１)の下面に接することがある。この場合、指が三脚座(３)の下面に接して、使用者が熱く感じ、不快感を与えるだけでなく、把持したキャビネット(１)を落下させる虞れがある。
本発明の目的は、使用者の指が接しても感じる厚さが緩和される放熱構造を有する携帯機器を提供することにある。また、金属製の接続用部材以外の箇所に放熱することも目的とする。
【課題を解決するための手段】
【０００５】
携帯機器は、キャビネット上に、金属製の接続用部材を設けるとともに、キャビネット内に発熱体を収納し、発熱体は接続用部材と熱伝導可能に繋がって、該接続用部材にキャビネットから延出した樹脂製のカバー体が被さる。
また、接続用部材は、キャビネットの一端部に設けられ、キャビネットの外面は、発熱体と対向する箇所にて、突面を形成して、発熱体との間にキャビネットの他端部への熱の移動を許す隙間を形成している。
【発明の効果】
【０００６】
１．金属製の接続用部材に樹脂製のカバー体が被さり、キャビネットを把持した使用者の指はカバー体に接する。これにより、発熱体から接続用部材に伝わった熱が直接使用者に伝わらず、使用者に不快感を与えることはない。
２．発熱体からの熱は、接続用部材のみならず、隙間を通ってキャビネットの他端部、即ちキャビネット内にて接続用部材とは反対側にも逃げる。これにより、接続用部材が熱くなり過ぎることを防ぐことができる。
【発明を実施するための最良の形態】
【０００７】
以下、本発明の一実施例を図を用いて、説明する。
図１は、本例に関わるカメラ機器、具体的にはデジタルカメラの斜視図であり、図２は図１をＡ−Ａ線を含む面にて破断し、矢視した図である。キャビネット(１)は、何れも合成樹脂製である第１キャビネット半体(４)と第２キャビネット半体(５)を横並びに合わせて構成され、両半体(４)(５)間の上端部内に鏡筒(11)を収納している。第１キャビネット半体(４)上に設けられた軸受け(12)(12)には、液晶パネルである表示板(10)が上下回動可能に枢支される。第１キャビネット半体(４)上にて、表示板(10)に覆われる箇所には、突面(40)が形成される。
【０００８】
図２に示すように、第２キャビネット半体(５)内にて鏡筒(11)の下方には、電池が収納される電池室(50)が形成される。電池室(50)の奥壁(51)を挟んで電池室(50)の反対側には、回路基板(図示せず)を介してＣＣＤ、ＬＳＩ等の回路部品(６)が設けられ、該回路部品(６)は突面(40)の裏面に対向する。回路部品(６)と突面(40)との間には、隙間(41)が形成され、回路部品(６)からの熱は、符号Ｈで示すように、隙間(41)を通って上昇する。本例のカメラ機器にあっては、回路部品(６)からの熱は、三脚座(３)のみならず、キャビネット(１)の上端部にも逃げる。これにより、全ての熱が三脚座(３)に伝わることを防ぎ、三脚座(３)が熱くなり過ぎることを防いでいる。
【０００９】
図３は、デジタルカメラを上下逆にした斜視図であり、図４は、図３の第１キャビネット半体(４)と第２キャビネット半体(５)を分解した斜視図、図５は、図３の第１キャビネット半体(４)をＣ−Ｃ線を含む面にて破断した断面図である。
第２キャビネット半体(５)の底面には、金属をダイカスト成形して形成された三脚座(３)が取り付けられ、該三脚座(３)は、第２キャビネット半体(５)の底面裏側に接する平板(31)と、該平板から突出した突部(30)を一体に具え、該突部(30)に三脚を通ったネジが螺合する第１ネジ孔(32)が開設されている。第１キャビネット半体(４)からは、突部(30)の上面に被さるカバー体(２)が突出し、該カバー体(２)には第１ネジ孔(32)を露出させる透孔(20)が開設されている。図２に示すように、回路部品(６)の一部が三脚座(３)に接して、回路部品(６)の熱は三脚座(３)に伝わって三脚座(３)から放熱される。本例にあっては、カバー体(２)が突部(30)に被さるから、使用者の指は、カバー体(２)に接し、直接突部(30)に接しない。これにより、キャビネット(１)を把持した使用者に熱を直接伝えて、不快感を与えることは回避される。また、熱く感じた使用者が、把持したキャビネット(１)を落下させる虞れもない。
【００１０】
三脚座(３)の平板(31)は、第２キャビネット半体(５)の底面裏側にネジ止めされる。図６は、図４をＤ−Ｄ線を含む面にて破断した断面図である。尚、図示の便宜上、図４では三脚座(３)を第２キャビネット半体(５)に締結するネジは図示していない。
平板(31)の端部には、第２ネジ孔(33)が開設され、第２キャビネット半体(５)には該第２ネジ孔(33)に合わさる段付き孔(52)が開設されている。第２キャビネット半体(５)の外側から止めネジ(７)が、段付き孔(52)を通って第２ネジ孔(33)に螺合して、三脚座(３)は第２キャビネット半体(５)に取り付けられる。
段付き孔(52)は、止めネジ(７)のネジ部(70)が通る小孔(53)と、小孔(53)の上側に繋がって止めネジ(７)の頭部(71)が嵌まる大孔(54)と連ねて形成される。止めネジ(７)が第２ネジ孔(33)に螺合した状態で、止めネジ(７)の頭部(71)は第２キャビネット半体(５)の上面から突出しない。これにより、キャビネット(１)を把持した使用者の指が止めネジ(７)に接しない。止めネジ(７)が金属製の三脚座(３)を締結しているから、回路部品(６)から三脚座(３)に伝わった熱が止めネジ(７)にも伝わる。本例にあっては、使用者の指は止めネジ(７)に接しないから、指が止めネジ(７)に触れて熱く感じることはない。
【００１１】
本例にあっては、以下の効果がある。
１．金属製の三脚座(３)に樹脂製のカバー体(２)が被さり、使用者の指はカバー体(２)に接する。これにより、回路部品(６)から三脚座(３)に伝わった熱が直接使用者に伝わらず、使用者に不快感を与えることはない。
２．また、止めネジ(７)も使用者の指に触れないから、この点に於いても、回路部品(６)から三脚座(３)を介して止めネジ(７)に伝わった熱が直接使用者に伝わらず、使用者に不快感を与えることはない。
３．回路部品(６)からの熱は、三脚座(３)のみならず、隙間(41)を通ってキャビネット(１)の上端部、即ちキャビネット(１)内にて三脚座(３)とは反対側にも逃げる。これにより、三脚座(３)が熱くなり過ぎることを防ぐことができる。
【００１２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
本例では、携帯機器としてデジタルカメラを例示したが、これに限定されず、放熱用の金属部材をキャビネットに露出させた機器であればよい。
また、発熱体である回路部品(６)は、接続用部材である三脚座(３)と熱伝導可能に繋がっていればよく、必ずしも構造的に接触している必要はない。即ち、輻射熱や放射熱の伝導が可能であれば、構造的に離れていても、即ち隙間があってもよい。
【図面の簡単な説明】
【００１３】
【図１】本発明の実施例であるデジタルカメラの斜視図である。
【図２】図１をＡ−Ａ線を含む面にて破断し、矢視した図である。
【図３】本発明の実施例であるデジタルカメラを上下逆にした斜視図である。
【図４】図３の第１キャビネット半体と第２キャビネット半体を分解した斜視図である。
【図５】図３の第１キャビネットをＣ−Ｃ線を含む面にて破断した断面図である。
【図６】図４をＤ−Ｄ線を含む面にて破断した断面図である。
【図７】従来の放熱構造を有するデジタルカメラの斜視図である。
【符号の説明】
【００１４】
(１)  キャビネット
(３)  三脚座
(６)  回路部品
(40)  突面
(41)  隙間
【図１】
0004869181.tif 000002
【図２】
0004869181.tif 000003
【図３】
0004869181.tif 000004
【図４】
0004869181.tif 000005
【図５】
0004869181.tif 000006
【図６】
0004869181.tif 000007
【図７】
0004869181.tif 000008